【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
アクセス端末において干渉を除去する方法であって、
１組のセクタを生成することであり、前記１組のセクタが、前記アクセス端末のためのアクティブセットに含まれない少なくとも１つのセクタを備える、生成することと、
前記１組のセクタにおける各セクタに前記アクセス端末における受信機の少なくとも１つのフィンガーを割り当てることと、
前記１組のセクタに対応する干渉推定値を生成することと、
前記生成された干渉推定値に従って前記１組のセクタからの干渉を除去することと
を備える方法。
【請求項２】
前記アクティブセットに含まれない前記少なくとも１つのセクタが、候補セットに含まれるセクタを備え、前記候補セットが、前記アクセス端末のための前記アクティブセットに追加される候補である１組のセクタを備える、請求項１に記載の方法。
【請求項３】
前記少なくとも１つのセクタのパイロットエネルギーに従って前記１組のセクタに含まれるべき前記少なくとも１つのセクタを選択することをさらに備える、請求項２に記載の方法。
【請求項４】
前記候補セットに含まれる各セクタのパイロットエネルギーに従って前記アクセス端末のための候補セットに含まれるセクタをランク付けすることと、
前記ランク付けに従って前記１組のセクタに含まれるべき前記少なくとも１つのセクタを選択することと
をさらに備える、請求項２に記載の方法。
【請求項５】
前記１組のセクタを生成することが、
前記候補セットにおける前記セクタの各々のパイロットエネルギーに従って、前記候補セットにおけるＮ個の最も強いセクタを選択することと、
前記１組のセクタに前記Ｎ個の選択されたセクタのうちの少なくとも１つを追加することと
を備える、請求項２に記載の方法。
【請求項６】
前記候補セットから第１のセクタが削除されることに応答して、前記１組のセクタから前記第１のセクタを削除することをさらに含む、請求項２に記載の方法。
【請求項７】
結合された１組のセクタの各々の信号対干渉雑音比に従って、前記アクセス端末のための前記アクティブセットおよび前記候補セットにおける前記セクタを備える前記結合された１組のセクタをランク付けすることと、
前記ランク付けに従って前記１組のセクタを再生することと
をさらに備える、請求項２に記載の方法。
【請求項８】
前記１組のセクタが、前記アクセス端末のための前記アクティブセットに含まれるすべてよりも少ないセクタを備える、請求項１に記載の方法。
【請求項９】
ワイヤレス通信のために構成されたアクセス端末であって、
１組のセクタを生成するための手段であり、前記１組のセクタが、前記アクセス端末のためのアクティブセットに含まれない少なくとも１つのセクタを備える、手段と、
前記１組のセクタにおける各セクタに前記アクセス端末における受信機の少なくとも１つのフィンガーを割り当てるための手段と、
前記１組のセクタに対応する干渉推定値を生成するための手段と、
前記生成された干渉推定値に従って前記１組のセクタからの干渉を除去するための手段と
を備えるアクセス端末。
【請求項１０】
前記アクティブセットに含まれない前記少なくとも１つのセクタが、候補セットに含まれるセクタを備え、
前記候補セットが、前記アクセス端末のための前記アクティブセットに追加される候補である１組のセクタを備える
請求項９に記載のアクセス端末。
【請求項１１】
前記少なくとも１つのセクタのパイロットエネルギーに従って前記１組のセクタに含まれるべき前記少なくとも１つのセクタを選択するための手段
をさらに備える、請求項１０に記載のアクセス端末。
【請求項１２】
前記候補セットに含まれる各セクタのパイロットエネルギーに従って前記アクセス端末のための候補セットに含まれるセクタをランク付けするための手段と、
前記ランク付けに従って前記１組のセクタに含まれるべき前記少なくとも１つのセクタを選択するための手段と
をさらに備える、請求項１０に記載のアクセス端末。
【請求項１３】
前記１組のセクタを生成するための前記手段が、
前記候補セットにおける前記セクタの各々のパイロットエネルギーに従って、前記候補セットにおけるＮ個の最も強いセクタを選択するための手段と、
前記１組のセクタに前記Ｎ個の選択されたセクタのうちの少なくとも１つを追加するための手段と
を備える、請求項１０に記載のアクセス端末。
【請求項１４】
前記候補セットから前記第１のセクタが削除されることに応答して、前記１組のセクタから第１のセクタを削除するための手段
をさらに備える請求項１０に記載のアクセス端末。
【請求項１５】
結合された１組のセクタの各々の信号対干渉雑音比に従って、前記アクセス端末のための前記アクティブセットおよび前記候補セットにおける前記セクタを備える前記結合された１組のセクタをランク付けするための手段と、
前記ランク付けに従って前記１組のセクタを再生するための手段と
をさらに備える、請求項１０に記載のアクセス端末。
【請求項１６】
前記１組のセクタが、前記アクセス端末のための前記アクティブセットに含まれるすべてよりも少ないセクタを備える、請求項９に記載のアクセス端末。
【請求項１７】
ワイヤレス通信のために構成されたアクセス端末であって、
処理回路と、
前記処理回路に結合されたメモリと、
前記処理回路に結合された通信インターフェースであり、干渉除去エンジンを備える通信インターフェースと
を備え、前記処理回路が、
１組のセクタを生成することであり、前記１組のセクタが、前記アクセス端末のためのアクティブセットに含まれない少なくとも１つのセクタを備える、生成することと、
前記１組のセクタにおける各セクタに前記通信インターフェースの受信機の少なくとも１つのフィンガーを割り当てることと、
前記１組のセクタに対応する干渉推定値を生成することと、
前記生成された干渉推定値に従って前記１組のセクタからの干渉を除去することと
を行うように構成される
アクセス端末。
【請求項１８】
前記アクティブセットに含まれない前記少なくとも１つのセクタが、候補セットに含まれるセクタを備え、前記候補セットが、前記アクセス端末のための前記アクティブセットに追加される候補である１組のセクタを備える、請求項１７に記載のアクセス端末。
【請求項１９】
前記処理回路が、前記少なくとも１つのセクタのパイロットエネルギーに従って前記１組のセクタに含まれるべき前記少なくとも１つのセクタを選択するようにさらに構成される、請求項１８に記載のアクセス端末。
【請求項２０】
前記処理回路が、
前記候補セットに含まれる各セクタのパイロットエネルギーに従って前記アクセス端末のための候補セットに含まれるセクタをランク付けし、
前記ランク付けに従って前記１組のセクタに含まれるべき前記少なくとも１つのセクタを選択する
ようにさらに構成される、請求項１８に記載のアクセス端末。
【請求項２１】
前記１組のセクタを生成するように構成された前記処理回路が、
前記候補セットにおける前記セクタの各々のパイロットエネルギーに従って、前記候補セットにおけるＮ個の最も強いセクタを選択し、
前記１組のセクタに前記Ｎ個の選択されたセクタのうちの少なくとも１つを追加する
ようにさらに構成される、請求項１８に記載のアクセス端末。
【請求項２２】
前記処理回路が、前記候補セットから前記第１のセクタが削除されることに応答して、前記１組のセクタから第１のセクタを削除するようにさらに構成される、請求項１８に記載のアクセス端末。
【請求項２３】
前記処理回路が、
結合された１組のセクタの各々の信号対干渉雑音比に従って、前記アクセス端末のための前記アクティブセットおよび前記候補セットにおける前記セクタを備える前記結合された１組のセクタをランク付けし、
前記ランク付けに従って前記１組のセクタを再生する
ようにさらに構成される、請求項１８に記載のアクセス端末。
【請求項２４】
前記１組のセクタが、前記アクセス端末のための前記アクティブセットに含まれるすべてよりも少ないセクタを備える、請求項１７に記載のアクセス端末。
【請求項２５】
ワイヤレス通信のために構成されたアクセス端末で動作可能な非一時的コンピュータ可読記憶媒体を備えるコンピュータプログラム製品であって、前記コンピュータ可読記憶媒体が、コンピュータに、
１組のセクタを生成することであり、前記１組のセクタが、前記アクセス端末のためのアクティブセットに含まれない少なくとも１つのセクタを備える、生成することと、
前記１組のセクタにおける各セクタに通信インターフェースの受信機の少なくとも１つのフィンガーを割り当てることと、
前記１組のセクタに対応する干渉推定値を生成することと、
前記生成された干渉推定値に従って前記１組のセクタからの干渉を除去することと
を行わせるための命令を備える
コンピュータプログラム製品。
【請求項２６】
前記アクティブセットに含まれない前記少なくとも１つのセクタが、候補セットに含まれるセクタを備え、前記候補セットが、前記アクセス端末のための前記アクティブセットに追加される候補である１組のセクタを備える、請求項２５に記載のコンピュータプログラム製品。
【請求項２７】
前記コンピュータ可読記憶媒体が、コンピュータに、前記少なくとも１つのセクタのパイロットエネルギーに従って前記１組のセクタに含まれるべき前記少なくとも１つのセクタを選択させるための命令をさらに備える、請求項２６に記載のコンピュータプログラム製品。
【請求項２８】
前記コンピュータ可読記憶媒体が、コンピュータに、
候補セットに含まれる各セクタのパイロットエネルギーに従って前記アクセス端末のための前記候補セットに含まれるセクタをランク付けさせ、
前記ランク付けに従って前記１組のセクタに含まれるべき前記少なくとも１つのセクタを選択させる
ための命令をさらに備える、請求項２６に記載のコンピュータプログラム製品。
【請求項２９】
コンピュータに前記１組のセクタを生成させるための前記命令が、
前記候補セットにおける前記セクタの各々のパイロットエネルギーに従って、前記候補セットにおけるＮ個の最も強いセクタを選択し、
前記１組のセクタに前記Ｎ個の選択されたセクタのうちの少なくとも１つを追加する
ようにさらに構成される、請求項２６に記載のコンピュータプログラム製品。
【請求項３０】
前記コンピュータ可読記憶媒体が、コンピュータに、前記候補セットから第１のセクタが削除されることに応答して、前記１組のセクタから前記第１のセクタを削除させるための命令をさらに備える、請求項２６に記載のコンピュータプログラム製品。
【請求項３１】
前記コンピュータ可読記憶媒体が、コンピュータに、
結合された１組のセクタの各々の信号対干渉雑音比に従って、前記アクセス端末のための前記アクティブセットおよび前記候補セットにおける前記セクタを備える前記結合された１組のセクタをランク付けさせ、
前記ランク付けに従って前記１組のセクタを再生させる
ための命令をさらに備える、請求項２６に記載のコンピュータプログラム製品。
【請求項３２】
前記１組のセクタが、前記アクセス端末のための前記アクティブセットに含まれるすべてよりも少ないセクタを備える、請求項２５に記載のコンピュータプログラム製品。
【請求項３３】
請求項１の方法は、さらに下記を具備する：
ネットワークから許可を受けることなく前記１組のセクタにおける各セクタに前記受信機の前記少なくとも１つのフィンガーを自律的に割り当てること。
【請求項３４】
請求項９に記載のアクセスターミナルは、さらに下記を具備する：
ネットワークから許可を得ることなしに前記１組のセクタにおける各セクタに前記受信機の前記少なくとも１つのフィンガーを自律的に割り当てるための手段。
【請求項３５】
請求項１７に記載のアクセスターミナル、ここにおいて前記処理回路はさらに下記のように構成される：ネットワークから許可を得ることなしに前記１組のセクタにおける各セクタに前記受信機の前記少なくとも１つのフィンガーを自律的に割り当てる。
【請求項３６】
請求項２５に記載のコンピュータプログラム製品は、さらに下記のことを前記アクセスターミナルにさせるための命令を具備する：ネットワークから許可を得ることなしに前記１組のセクタにおける各セクタに前記受信機の前記少なくとも１つのフィンガーを自律的に割り当てること。